(57)【要約】【課題】  藻類の着床が良好で耐久性に優れ、設置が比較的容易であり、自然環境に悪影響を及ぼし難く、比較的安価であること。【解決手段】  筒形の柱状に球状黒鉛鋳鉄によって形成されその周壁を貫通して小窓１３を多数設けた鋳鉄製の筒柱材を用いて構成し、筒柱材が、円筒状のものを軸線方向に沿って２分割形成された半割片１１、１２の組を組合せた円筒状部２と、円筒状部の端部にリング状の嵌合部１９を嵌合させ円筒状に一体化結合する結合手段４と、円筒状部複数を軸線方向に連続するように配置して連続部で両側の円筒状部の端部にそれぞれ嵌合部を嵌合させることにより半割片を一体化結合すると共にこれを連結する短円筒状の結合連結手段３と、からなる。嵌合部１９は周方向を分断されている切欠部２４を有する。【選択図】図１
2005287432.tif 000002
【特許請求の範囲】
【請求項１】
筒形の柱状に球状黒鉛鋳鉄によって形成されその周壁を貫通して小窓を多数設けた筒柱材を用いて構成した鋳鉄製藻床。
【請求項２】
前記筒柱材が、円筒状のものを軸線方向に沿って２分割形成された半割片の組を円筒状に組合せた円筒状部と、その円筒状部の端部にリング状の嵌合部を嵌合させることにより円筒状に一体化結合する結合手段と、で構成されていることを特徴とする請求項１に記載の鋳鉄製藻床。
【請求項３】
前記結合手段が、前記嵌合部を周方向に分断している切欠部を有することを特徴とする請求項２に記載の鋳鉄製藻床。
【請求項４】
前記筒柱材が、円筒状のものを軸線方向に沿って２分割形成された半割片の組を円筒状に組合せた円筒状部と、その円筒状部複数を軸線方向に連続するように配置して途中の連続部で両側の円筒状部の端部にそれぞれリング状の嵌合部を嵌合させることにより半割片を円筒状に一体化結合すると共に一体化結合したものを連結する結合連結手段と、で構成されていることを特徴とする請求項１に記載の鋳鉄製藻床。
【請求項５】
前記結合連結手段が、前記嵌合部の各々に周方向を分断している切欠部を有することを特徴とする請求項４に記載の鋳鉄製藻床。
【請求項６】
前記筒柱材が、円筒状のものを軸線方向に沿って２分割形成された半割片の組を円筒状に組合せて結合される円筒状部で構成され、その筒柱材を複数用いて、所定の円筒状部の一端に他の一つの円筒状部の一端が連続し他端が所定の方向に向かうように、又は所定の円筒状部の一端に他の複数の円筒状部のそれぞれの一端が連続しそれぞれの他端が互いに異なる所定の方向に向かうように円筒状部を配置し、前記連続部で各円筒状部の端部にそれぞれリング状の嵌合部を嵌合させることにより前記半割片を円筒状に一体化結合すると共に連結する結合連結手段を設けて、屈曲部分又は分岐部分を有する構成としたことを特徴とする請求項１に記載の鋳鉄製藻床。
【請求項７】
前記結合連結手段が、前記嵌合部の各々に周方向を分断している切欠部を有することを特徴とする請求項６に記載の鋳鉄製藻床。
【請求項８】
水底に設けられ前記筒柱材の一端が差込まれる差込穴が、開口側に向って拡大したテーパ孔部分を有し、前記差込穴に差込まれた前記筒柱材外周と前記テーパ孔内周面との間に全周で少なくとも２等分された円弧状断面を有する楔状部材を差込んで前記筒柱材を植立固定したことを特徴とする請求項１、請求項２、請求項３、請求項４、又は請求項５に記載の鋳鉄製藻床。
【請求項９】
多数の前記筒柱材が、水底に分散して植立されていることを特徴とする請求項１、請求項２、請求項３、請求項４、請求項５、又は請求項６に記載の鋳鉄製藻床。
【発明の詳細な説明】
【技術分野】
【０００１】
本発明は、河床や海底などに設けて藻類を着床させる、あるいは藻類を着床させると共に小魚の生育環境を整えるための鋳鉄製藻床に関する。
【背景技術】
【０００２】
従来のこの種のものとしてはコンクリート構造体や鋼製品溶接構造物がある。前者はコンクリート製品であるから少なくとも施工当初は生態系に良くない成分が流出しやすいことから、最近では護岸材料、人工藻床、漁礁などにコンクリートを用いることはあまり好まれない傾向にある。そして、特に早急に藻床、漁礁としての機能を発揮させたい場合には即効性に欠ける問題がある。主要部にコンクリートを用いた構成のものは特許文献１、２に開示されている。後者は、腐食が早く、薄肉物では構造物としての寿命が短く、また海藻類が付着し易い表面状態とするには、製造面で手間が掛かり、コストが増大する問題がある。このため特殊な鋼材を組合せた構成のもの（特許文献３参照）が提案されている。この場合特殊な鋼材を所定の関係で組み立てるため、コストの増大は避けられないようである。また別に、護岸用として枠体を鋳鉄で形成することが提案されている。これは特許文献４に見られるように、複数の開口を有する複数の鋳鉄製平面枠を連結して内部に砕石や石等を充填する中空枠体に形成してある。鋳鉄製のものは自然環境に悪影響を及ぼし難い点や耐久性の点で優れている。
【特許文献１】特開２００３−１０２３２１号公報
【特許文献２】特開２００２−３３０６５２号公報
【特許文献３】特開２００１−０７８６１５号公報
【特許文献４】特開２０００−０６４２４８号公報
【発明の開示】
【発明が解決しようとする課題】
【０００３】
従来の藻床は、耐久性に優れたものは立体構造に構築される形態のものが多く、また設置水域の水底が平坦であることが望まれることが多く、組立てや設置のための費用が嵩む問題がある。
本発明は、藻類の着床が良好で耐久性に優れ、設置が比較的容易であり、自然環境に悪影響を及ぼし難く、比較的安価な藻床を提供することを目的とする。
【課題を解決するための手段】
【０００４】
本発明の手段は、筒形の柱状に球状黒鉛鋳鉄によって形成されその周壁を貫通して小窓を多数設けた筒柱材からなる。
【０００５】
この手段では、例えば、藻床の必要な場所に適当な数量の筒柱材を適切な密度で植立状態に設置して用いる。筒柱材が球状黒鉛鋳鉄で形成されていることにより、普通鋳鉄に比べて強度が優れ、また鋼に比べて炭素量が多く炭素と他の含有金属成分とが反応して防食皮膜を形成し、水中においても耐腐食性が優れていて耐久性がある。さらに鉄分等が徐々に溶出することにより生物にとって有効なミネラル水を供給し、バクテリアの付着により水質を浄化すると共に藻の繁殖を促進するから、コンクリートに比べて藻類が早期に着床し繁殖する。そして、筒柱材は小窓を有するから、窓から出入できる小魚等の棲家となり、また藻類が繁殖することで好ましい漁礁となる。また、筒柱材を水底に植立することは水底の整地を殆ど必要としないから、容易に設置可能であり、コスト低減に非常に有効である。
【０００６】
前記筒柱材が、円筒状のものを軸線方向に沿って２分割形成された半割片の組を円筒状に組合せた円筒状部と、その円筒状部の端部にリング状の嵌合部を嵌合させることにより円筒状に一体化結合する結合手段と、で構成されているものとするのがよい。この構成では、半割片を鋳造後に組み合わせて簡単な結合手段により円筒柱状に一体化するから、円筒を鋳造するときのように中子を用いることなく鋳造可能であり、製造しやすく、コストを低減できる。
【０００７】
前記結合手段は、前記嵌合部を周方向に分断している切欠部を有する構成とするのがよい。この構成では、円筒の半割片を鋳造後に組み合わせて結合手段で一体化結合するときに、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合させることができるから、容易に強固に組み立てることができる。
【０００８】
前記筒柱材が、円筒状のものを軸線方向に沿って２分割形成された半割片の組を円筒状に組合せた円筒状部と、その円筒状部複数を軸線方向に連続するように配置して途中の連続部で両側の円筒状部の端部にそれぞれリング状の嵌合部を嵌合させることにより半割片を円筒状に一体化結合すると共に一体化結合したものを連結する結合連結手段と、で構成されているものとするのがよい。この構成では、円筒柱材を比較的長いものとする場合に、全長を適当な長さに分断形成し半割片としたものを結合連結して構成できるから、製作が容易であり、コストを低減できる。
【０００９】
前記結合連結手段は、前記嵌合部の各々に周方向を分断している切欠部を有する構成とするのがよい。この構成では、円筒の半割片を鋳造後に組み合わせて結合連結手段で結合連結するときに、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合と連結ができるから、容易に強固に組み立てることができる。
【００１０】
前記筒柱材が、円筒状のものを軸線方向に沿って２分割形成された半割片の組を円筒状に組合せて結合される円筒状部で構成され、その筒柱材を複数用いて、所定の円筒状部の一端に他の一つの円筒状部の一端が連続し他端が所定の方向に向かうように、又は所定の円筒状部の一端に他の複数の円筒状部のそれぞれの一端が連続しそれぞれの他端が互いに異なる所定の方向に向かうように円筒状部を配置し、前記連続部で各円筒状部の端部にそれぞれリング状の嵌合部を嵌合させることにより前記半割片を円筒状に一体化結合すると共に連結する結合連結手段を設けて、屈曲部分又は分岐部分を有する構成とするのがよい。この構成では、直線状の筒柱材、つまり藻床材を複数本用いて途中で屈曲したものや分岐したものを構成でき、一連の藻床材で水底に固定する端部を複数にすることができ、全体が大きい構成になっても大きさに応じて強固に固定する構成が可能である。また、固定側を１本とした場合、樹木の枝状に分岐形成することも可能である。
【００１１】
前記結合連結手段が、前記嵌合部の各々に周方向を分断している切欠部を有する構成とするのがよい。この構成では、円筒の半割片を鋳造後に組み合わせて結合連結手段で結合連結するときに、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合と連結ができるから、容易に強固に組み立てることができる。
【００１２】
水底に設けられ前記筒柱材の一端が差込まれる差込穴が、開口側に向って拡大したテーパ孔部分を有し、前記差込穴に差込まれた前記円筒柱材外周と前記テーパ孔内周面との間に全周で少なくとも２等分された円弧状断面を有する楔状部材を差込んで前記円筒柱材を植立固定した構成とするのがよい。この構成では、差込穴を設ける水底部分をコンクリート床で形成し、例えばブロック状に形成しておいて沈設するものとすれば、藻床の植立作業が容易となる。
【００１３】
多数の前記筒柱材が、水底に分散して植立されている構成とするのがよい。この構成では、きわめて広い水域に藻床を設置して大きい藻床領域を形成するときに、大小の独立した藻床を使用し適当に植立域を広くすればよく、それぞれの部分に最も適した大きさのものを使用でき、基本的には共通した筒柱材からなる藻床を使用できるので、コストを低減できる。
【発明の効果】
【００１４】
請求項１に記載の発明は、筒柱材が球状黒鉛鋳鉄で形成されていることにより、普通鋳鉄に比べて強度が優れ、また鋼に比べて炭素量が多く耐腐食性が優れていて耐久性があり、さらに生物にとって有効なミネラル水を供給し、バクテリアの付着により水質を浄化すると共に藻の繁殖を促進するから、コンクリートに比べて藻類が早期に着床し繁殖し、そして、筒柱材は小窓から出入できる小魚等の棲家となり、藻類が繁殖することで好ましい漁礁となり、また、筒柱材を水底に植立することは水底の整地を殆ど必要としないから、容易に設置可能であり、コスト低減に非常に有効である等の効果を奏する。
請求項２に記載の発明は、半割片を鋳造後に組み合わせて簡単な結合手段により円筒柱状に一体化するから、円筒を鋳造するときのように中子を用いることなく鋳造可能であり、製造しやすく、コストを低減できる効果を奏する。
請求項３に記載の発明は、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合させることができるから、容易に強固に組み立てることができる効果を奏する。
請求項４に記載の発明は、この構成では、円筒柱材を比較的長いものとする場合に、製作が容易であり、コストを低減できる効果を奏する。
請求項５に記載の発明は、結合連結手段で結合連結するときに、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合と連結ができるから、容易に強固に組み立てることができる効果を奏する。
請求項６に記載の発明は、直線状の藻床材を複数本用いて途中で屈曲したものや分岐したものを構成でき、一連の藻床材で水底に固定する端部を複数にすることができ、全体が大きい構成になっても大きさに応じて強固に固定できる効果を奏する。
請求項７に記載の発明は、結合連結手段で結合連結するときに、切欠部が存在することにより嵌合部が拡径方向に弾性変形可能であり、必要に応じて抜け止め抵抗部を設けたり、適当な締付け嵌合状態としたりすることができ、また相対的な軸方向変位のみで嵌合させて一体化結合と連結ができるから、容易に強固に組み立てることができる効果を奏する。
請求項８に記載の発明は、コンクリート床をブロック状に形成しておいて沈設するものとすれば、藻床の植立作業が容易となる効果を奏する。
請求項９に記載の発明は、きわめて広い水域に藻床を設置して大きい藻床領域を形成するときに、大小の独立した藻床を使用し適当に植立域を広くすればよく、それぞれの部分に最も適した形状や大きさのものを使用でき、基本的には共通した筒柱材からなる藻床を使用できるので、コストを低減できる効果を奏する。
【発明を実施するための最良の形態】
【００１５】
藻床として設置して藻を着床させることにより漁礁となるようにする。その藻床は、基本的には球状黒鉛鋳鉄により多数の小窓がついた円筒柱とし、その円筒柱は半割り形成した半割片を合わせて機械的な結合手段で結合したものとする。そして状況に応じて、その円筒柱を幾つか用いて結合連結手段で、短い円筒柱、長い円筒柱、又は単なる円筒柱の他に適当に組み合わせた所望形状、例えば、アーチ状、梯子状、ジャングルジム状、あるいは三角錐や四角錐の稜線相当形状等に形成したものとし、水底に設置する。半割片の結合手段、及び半割片を円筒柱に結合すると共に円筒柱を連結する結合連結手段も球状黒鉛鋳鉄で形成する。
【実施例】
【００１６】
本発明の第１実施例を図１〜図３を用いて説明する。この実施例の藻床１は、図１（ａ）に示すように、一本の円筒柱状のものに形成されており、３個の円筒状部２、２個の結合連結手段３、２個の結合手段４で構成された円筒柱材である。
円筒状部２は、一つを図２に示すように、所定長さの円筒を軸線の方向に２分割形成した同じ形状の半割片１１、１２に各半円筒壁を貫通して多数の小窓１３を穿設したものである。この実施例の場合小窓１３の大きさは一辺が約５ｃｍの四角形である。円筒状部２は、両端部を除く他は一様な外径部１４を有し、両端部には小さい段１５をなして外周が大径に形成された環状係合部１６と、これに続いて端側に小径となるテーパ部１７とが設けられている。また、半割片１１、１２が円筒状とされるときの合わせ面には位置ずれを防止するための互いに係合する係合部１８が凹凸状に適当に設けられている。
【００１７】
結合連結手段３は、図３（ａ）、（ｂ）に示すように、短円筒形であり、内孔が、両端から内側に向かい同じ嵌合部１９を形成されている。嵌合部１９は、端部から前記円筒状部２の一様な外径部１４に対応する内径の小径部２０と、その奥に段２１をなして拡大し前記環状係合部１６の最大外径に対応する拡径部２２と、さらにその奥の中間位置に僅かな幅で前記小径部２０と同じ内径の中間部２３とで形成されている。そして短円筒形の全長に亘って周方向を分断するように切欠部２４を設けてある。この結合連結手段３は、円筒状部２を構成している半割片１１、１２を円筒状に結合すると共に円筒状部２を他の円筒状部２と連結するものである。
【００１８】
結合手段は、図３（ｃ）、（ｄ）に示すように、短円筒形のリング状であり、前記結合連結手段３を長手方向中間で２分割したものと同じ形状である。すなわち、内孔が前記円筒状部２の一端に嵌合する嵌合部１９に形成されている。その嵌合部１９は、前記結合連結手段３と同じ図面符号で示すように、前記円筒状部２の外径部１４に嵌合する小径部２０と、環状係合部１６が入り込む大きさで段２１をなし拡大形成された拡径部２２と、を設けられており、短円筒形の全長に亘って切欠部２４を設けてある。この結合手段４は、半割片１１、１２を円筒状に結合するものである。なお、前記半割片１１、１２、結合手段４、連結結合手段３の材質は何れも球状黒鉛鋳鉄であり、小窓１３は鋳造により形成されている。
【００１９】
図１（ａ）は藻床１を設置した状態を示しており、このように設置するには、まず藻床１を組み立てる。組み立ては、例えば、半割片１１、１２を合わせて円筒状部２とし、その一端に結合手段４の嵌合部１９を嵌合させ、他端に結合連結手段３の一方の嵌合部１９を嵌合させ、その結合連結手段３の他方の嵌合部１９に別の円筒状部２の一端を嵌合させ、同様に結合連結手段３、円筒状部２、そして結合手段４を順次嵌合させる。これによって図に示すように３個の円筒状部２、両端の２個の結合手段４、途中の２個の結合連結手段３からなる多数の小窓１３の付いた円筒柱材、つまり藻床１が完成する。円筒状部２の端部と嵌合部１９との嵌合は圧入によって行なわれ、圧入の際にテーパ部１７が案内となり、切欠部２４の存在により嵌合部１９内孔が弾性変形により拡径し、環状係合部１６が小径部２０を通って拡径部２２に達すると嵌合部１９内孔が縮径して小径部２０が円筒状部２の外径部１４に密着し、拡径部２２内に環状係合部１６及びテーパ部１７が納まり、段１５、２１が係合した抜け止め状態となる。
【００２０】
藻床１を設置するには、図１（ａ）に示すように、コンクリート床２５に藻床１の一端が収容されるテーパ穴２６を設け、藻床１の一端を挿入し、そのテーパ穴２６と藻床１との間の環状空隙に、その空隙に一致する形状の外周面をテーパ面に形成されたテーパ円筒を２分割した半割状の楔部材２７、２７（図１（ｃ）、（ｄ）参照）を打ち込んで藻床１を固定する。なを、コンクリート床２５は、ブロック状に形成しておいて沈設するものとすれば、藻床の植立作業が容易となる。また、コンクリートが使用できない場合等には、必要に応じて普通鋳鉄製、あるいは球状黒鉛鋳鉄製としても同じ構造を採用できる。
【００２１】
この藻床１は、球状黒鉛鋳鉄で形成されていることにより、普通鋳鉄に比べて強度が優れ、また鋼に比べて炭素量が多く耐腐食性が優れていて耐久性があり、さらに生物にとって有効なミネラル水を供給し、バクテリアの付着により水質を浄化すると共に藻の繁殖を促進するから、藻類が早期に着床し繁殖し、そして、内部が小窓１３から出入できる小魚等の棲家となり、藻類が繁殖することで好ましい漁礁となる。また、藻床１は１本の柱状であるから、水底に植立する際に水底の整地を殆ど必要とせず、容易に設置可能であり、設置コスト低減できる。そして、山林の植林のように所望位置に一本ずつ設置することができて、藻類の繁殖域を任意に形成し易い。また、半割片１１、１２を簡単な結合手段４や結合連結手段３により円筒柱状に一体化するから、円筒を鋳造するときのように中子を用いることなく鋳造でき、多数の小窓１３も同時に鋳造できるから、製造しやすく、製造コストを低減できる。
【００２２】
本発明の第２実施例を図４〜図７を用いて説明する。この実施例の藻床５は、図４（ｂ）に示すように、２段の梯子状に形成されており、概ね第１実施例の藻床１を２本使用して両側の支柱部分３０、３０を形成し、その円筒状部２の元の結合連結手段３を異なる別の三方結合連結手段３１で置き換え、元の縦の円筒状部２と別の横の円筒状部２を結合連結して両側支柱部分３０、３０に梯子の横桟部分３３を設けてある。この三方結合連結手段３１は、図５に示すように、前述した嵌合部１９を１個有する結合手段４を、同嵌合部１９を２個有する結合連結手段３に一体に結合形成した構成のものである。つまり、三方に開口した嵌合部１９を有するものである。三方結合連結手段３１の各嵌合部１９と半割片１１、１２を合わせた円筒状部２の端部との嵌合は、図６に示すように、前述した構成と同じであり、同等部分を同一図面符号で示して説明を省略する。
【００２３】
この藻床５は、例えば、図４（ｂ）に示す両側支柱部分３０、３０の下端を、第１実施例と同様に水底に固定して植立状態に設置する。この実施例の藻床５も第１実施例のものと略同様な作用効果が得られる。
【００２４】
また、他の実施例として、アーチ状、ジャングルジム状、あるいは三角錐や四角錐の稜線相当形状等が考えられる。これらは何れも前述した、円筒状部２と、結合手段４、結合連結手段３（二方結合連結手段）、三方結合連結手段３１や、別の、例えば、二つの嵌合部１９が直角等の角度なして設けられている他の二方結合連結手段、三つの嵌合部が適当な角度をなして設けられている他の三方結合連結手段、図７に示すような四つの嵌合部１９が直角をなして設けられている四方結合連結手段３４、その角度が異なる他の四法結合連結手段等を適切に組み合わせて使用することにより形成できる。また、円筒状部２と嵌合部１９との嵌合による結合、あるいは連結と結合は、場合によっては互いに嵌合する雌ねじと雄ねじであっても良い。また、円筒状部２は必ずしも半割片で形成しないで、場合によっては適当な筒状体に任意形状で適当な大きさの小窓を多数穿設したものであってもよい。
【産業上の利用可能性】
【００２５】
藻の繁殖を助けて自然に近い漁礁を作るから、漁業資源や自然環境の保護に利用できる。
【図面の簡単な説明】
【００２６】
【図１】本発明の第１実施例を示し（ａ）は正面図、（ｂ）は（ａ）のＡ部拡大図、（ｃ）は楔部材の平面図、（ｄ）は楔部材の正面図である。
【図２】同実施例の円筒状部を示し、（ａ）は正面図、（ｂ）は側面図、（ｃ）は平面図、（ｄ）は（ａ）の横断面図である。
【図３】（ａ）は同実施例の結合連結手段の平面図、（ｂ）は正面図、（ｃ）は同実施例の連結手段の平面図、（ｄ）は正面図である。
【図４】第２実施例を示し、（ａ）は平面図、（ｂ）は正面図である。
【図５】同実施例の三方結合連結手段を示し、（ａ）は平面図、（ｂ）は右側面図、（ｃ）は正面図である。
【図６】図５の三方結合連結手段の円筒状部を結合連結した状態の部分を示し、（ａ）は平面図、（ｂ）は正面図である。
【図７】本発明の他の実施例に使用できる四方結合連結手段を示し、（ａ）は平面図、（ｂ）は右側面図、（ｃ）は正面図である。
【符号の説明】
【００２７】
１    藻床
２    円筒状部
３    結合連結手段
４    結合手段
５    藻床
１１、１２  半割片
１３  小窓
１４  外径部
１５  段
１６  環状係合部
１７  テーパ部
１８  係合部
１９  嵌合部
２０  小径部
２１  段
２２  拡径部
２３  中間部
２４  切欠部
２５  コンクリート床
２６  テーパ穴
２７  楔部材
３０  支柱部分
３１  三方結合連結手段
３３  横桟部
３４  四方結合連結手段
【図１】
2005287432.tif 000003
【図２】
2005287432.tif 000004
【図３】
2005287432.tif 000005
【図４】
2005287432.tif 000006
【図５】
2005287432.tif 000007
【図６】
2005287432.tif 000008
【図７】
2005287432.tif 000009